(57)【特許請求の範囲】
【請求項１】
浴槽の一方の側部を壁面に沿わせた状態で前記浴槽を浴槽フロア上に設置するための浴槽の設置構造であって、前記浴槽の上端周縁部に外側に向って突出するフランジ状の突出部を設けて、前記突出部における前記浴槽の一方の側部側部分の上部に前記壁面の上部側部分を構成する壁面上部を設置するとともに、前記突出部における前記浴槽の一方の側部側部分の下部と前記浴槽フロアの上端縁部との間に、前記壁面の下部側部分を構成する壁面下部を設置し、前記浴槽フロアにおける一方の端部と他方の端部との間の長さを所定の最低長さに設定して、前記浴槽が設置される浴室の大きさを大きくする場合には、前記壁面上部と前記浴槽との位置を一方側にずらし、前記壁面下部を傾斜させた状態で前記突出部の下部と前記浴槽フロアの上端縁部との間に設置するようにしたことを特徴とする浴槽の設置構造。
【請求項２】
前記突出部の上部と前記壁面上部の下端部、前記突出部の下部と前記壁面下部の上端部および前記壁面下部の下端部と前記浴槽フロアの上端縁部とを、それぞれ固定するための互いに係合可能な係合部と被係合部とを設けた請求項１に記載の浴槽の設置構造。
【請求項３】
前記突出部における前記浴槽の他方の側部側部分と前記浴槽フロアの上端縁部との間にバスエプロンを設置した請求項１または２に記載の浴槽の設置構造。
【請求項４】
前記バスエプロンの上端部に、前記突出部と重なり合う所定幅の突出片を設け、前記突出部と前記突出片との重なった部分の長さを調節することにより、前記浴槽の前記浴槽フロア上での設置位置を変えても前記バスエプロンを略垂直の状態に維持できるようにした請求項３に記載の浴槽の設置構造。
【発明の詳細な説明】
【技術分野】
【０００１】
本発明は、浴槽を浴槽フロア上に設置するための浴槽の設置構造に関する。
【背景技術】
【０００２】
従来から、システムバス等においては、防水パンからなる浴槽フロアの上面に浴槽を設置する際には、浴槽フロアの周囲に設けられた壁パネルを基準にして浴槽の設置が行われている。そして、浴槽フロアとしては大きさの異なる複数種類のものを準備して、浴室の広さに応じて適宜サイズの合った浴槽フロアを選択して使用している。しかしながら、これによると大きさの異なる複数種類の浴槽フロアを成形しなければならないため、金型等の費用がかさむようになる。このため、各種の大きさに調節することのできる浴槽フロアも開発されている（例えば、特許文献１参照）。
【０００３】
この浴槽フロアは、裏面に碁盤の目状に所定のピッチでリブが形成されたベース床材と、内側の下端に、ベース床材のリブが係合可能な係合溝が設けられた４個の立ち上がり部材と、立ち上がり部材と等しい断面形状を有する４個のコーナー部材とで構成されている。そして、ベース床材をリブの外側で切断して所定の大きさにするとともに、立ち上がり部材をベース床材の四方の辺の長さに合わせて切断してベース床材の各辺に取り付け、その角部にコーナー部材を取り付けることにより所定の大きさの浴槽フロアが組み付けられるようにしている。
【特許文献１】特開２００３−８２７２７号公報
【発明の開示】
【０００４】
しかしながら、前述した浴槽フロアでは、ベース床材や立ち上がり部材を切断して浴室の大きさにサイズを合わせたのちに各部材を組み付けるため組付け作業が煩雑になる。また、切断する部分の大きさが碁盤の目状のピッチの大きさに規制されるため、浴槽フロアの大きさの調整をピッチ間隔以外の大きさにすることができないという問題がある。さらに、ベース床材や立ち上がり部材の切断された部分は廃棄物になるため、浴槽フロアを構成する材料に無駄が生じるという問題もある。
【０００５】
本発明は、前述した問題に対処するためになされたもので、その目的は、煩雑な作業をしたり材料を無駄にしたりすることなく、浴槽を浴室の大きさに合わせた適正な状態で浴槽フロア上に設置することのできる浴槽の設置構造を提供することである。
【０００６】
前述した目的を達成するため、本発明に係る浴槽の設置構造の構成上の特徴は、浴槽の一方の側部を壁面に沿わせた状態で浴槽を浴槽フロア上に設置するための浴槽の設置構造であって、浴槽の上端周縁部に外側に向って突出するフランジ状の突出部を設けて、突出部における浴槽の一方の側部側部分の上部に壁面の上部側部分を構成する壁面上部を設置するとともに、突出部における浴槽の一方の側部側部分の下部と浴槽フロアの上端縁部との間に、壁面の下部側部分を構成する壁面下部を設置し、浴槽フロアにおける一方の端部と他方の端部との間の長さを所定の最低長さに設定して、浴槽が設置される浴室の大きさを大きくする場合には、壁面上部と浴槽との位置を一方側にずらし、壁面下部を傾斜させた状態で突出部の下部と浴槽フロアの上端縁部との間に設置するようにしたことにある。
【０００７】
前述したように構成した本発明に係る浴槽の設置構造では、浴槽が設置される浴室の大きさにかかわらず一定の大きさの浴槽フロアを用いて、浴室の大きさに応じて浴槽フロアに設置される浴槽の位置を変更することにより、浴槽を適正な状態で設置することができる。すなわち、浴室の大きさが小さい場合には、浴槽フロアの定位置に浴槽を設置して、浴槽の突出部の上部に取り付けられる壁面上部と、浴槽の突出部の下部と浴槽フロアの上端縁部との間に取り付けられる壁面下部とが垂直方向の同一面内に位置するように設置することができる。
【０００８】
そして、浴室の大きさが大きい場合には、浴槽を浴槽フロア上の一方側に位置をずらして設置して、その状態の浴槽の突出部の上部に壁面上部を設置し、突出部の下部と浴槽フロアの上端縁部との間に取り付けられる壁面下部は、適宜浴槽の突出部の一方側部分と浴槽フロアの一方側の上端縁部との位置関係に応じた姿勢で設置する。例えば、壁面下部を垂直にして下端部を浴槽フロアの上端縁部に位置させ、上端部を突出部の下面における浴槽の本体側に位置させて、壁面上部と壁面下部との位置をずらしたり、壁面下部を傾斜させた状態で浴槽の突出部の下部と浴槽フロアの上端縁部との間に設置したりすることができる。
【０００９】
このように、浴室の大きさに合わせて壁面上部と浴槽との位置をずらすとともに、その位置に応じて壁面下部の上端部と突出部とを連結させる位置を変更したり、壁面下部の傾斜角度を変えたりすることにより、浴槽フロアの大きさを浴室の大きさに合わせるための切断作業等の煩雑な作業を行うことなく、簡単な作業で浴槽を適正な状態で設置することができる。また、切断片等の廃棄物がでないため材料の無駄も無くなる。
【００１０】
本発明では、浴槽フロアにおける一方の端部と他方の端部との間の長さを所定の最低長さに設定して、浴槽が設置される浴室の大きさを大きくする場合には、壁面上部と浴槽との位置を一方側にずらし、壁面下部を傾斜させた状態で突出部の下部と浴槽フロアの上端縁部との間に設置するようにしている。これによると、壁面下部の上端部の上方に壁面上部の下端部を位置させることができるため、例え、壁面上部の重さが突出部にかかったとしても、壁面上部の重さは、壁面下部を介して浴槽フロアの上端縁部にかかるようになる。このため、突出部の強度を小さくしても破損しにくくなる。
【００１１】
本発明に係る浴槽の設置構造のさらに他の構成上の特徴は、突出部の上部と壁面上部の下端部、突出部の下部と壁面下部の上端部および壁面下部の下端部と浴槽フロアの上端縁部とを、それぞれ固定するための互いに係合可能な係合部と被係合部とを設けたことにある。これによると、壁面を構成する壁面上部と壁面下部とをそれぞれ強固に固定することができるため、壁面を上下２つの部材に分割したり、壁面下部を傾斜させて取り付けたりしても壁面の強度を強固に維持することができる。
【００１２】
本発明に係る浴槽の設置構造のさらに他の構成上の特徴は、突出部における浴槽の他方の側部側部分と浴槽フロアの上端縁部との間にバスエプロンを設置したことにある。この場合のバスエプロンは、浴槽フロアに隣接して設置される洗い場フロア側に設置されることになり、これによると、浴室における洗い場フロア側の湯水が浴槽フロア側に流れることを防止できるとともに、浴槽の室内側側面の見栄えをよくすることができる。
【００１３】
本発明に係る浴槽の設置構造のさらに他の構成上の特徴は、バスエプロンの上端部に、突出部と重なり合う所定幅の突出片を設け、突出部と突出片との重なった部分の長さを調節することにより、浴槽の浴槽フロア上での設置位置を変えてもバスエプロンを略垂直の状態に維持できるようにしたことにある。
【００１４】
この場合の突出片としては、一定の長さを備えた片で構成してもよいし、所定の操作によって繰り出すことにより長さを変更できるもので構成してもよい。例えば、バスエプロンの上端部から水平方向に延びる支持片と、その支持片の下面または上面からスライド移動することにより浴槽に対して進退するスライド片とで突出片を構成することができる。また、風呂の蓋のように一定の間隔で折り曲げが可能な薄肉部が形成された板状体で突出片を構成して、浴槽とバスエプロンとの間隔に応じて突出片を繰り出し、突出片の余った部分は垂れさせておくようにすることもできる。これによると、浴槽の設置位置にかかわらずバスエプロンを略垂直の状態に維持することができる。
【発明を実施するための最良の形態】
【００１５】
（第１実施形態）
以下、本発明の第１実施形態を図面を用いて説明する。図１は、同実施形態に係る浴槽の設置構造２０を備えた広さを大きく設定したシステムバス１０を示しており、このシステムバス１０は、図２に示した洗い場フロア１１と浴槽フロア２１とからなる浴室フロアを備えている。この浴室フロアは、躯体側の床面部（図示せず）の上面に設置されており、周縁部に、本発明に係る壁面を構成する壁パネル２２，２３等からなる壁面部およびドア（図示せず）が起立状態で設置されている。壁面部は、図３に示したように、壁パネル２２，２３および壁パネル１２，１３，１４，１５，１６の複数の壁パネル等で構成されている。
【００１６】
そして、浴槽フロア２１側に設置される壁パネル２２，２３および壁パネル１２，１６はそれぞれ上下に２分割された２個１組のパネルで構成されている。すなわち、壁パネル２２はパネル上部２２ａとパネル下部２２ｂ、壁パネル２３はパネル上部２３ａとパネル下部２３ｂ、壁パネル１２はパネル上部１２ａとパネル下部１２ｂ、壁パネル１６はパネル上部１６ａとパネル下部１６ｂとにそれぞれ２分割された２個のパネルで構成されている。そして、壁パネル２２等からなる壁面部の上端には、図４に示したように、ドーム状の天井パネル１７が掛け渡されて固定されている。
【００１７】
洗い場フロア１１は、洗い場の床面を構成するとともにカウンター（図示せず）を設置するためのフロアであり、樹脂による一体成形により構成されている。この洗い場フロア１１は、周縁部に、高さの低い周壁部１１ａが形成された浅い防水パンで構成されている。そして、洗い場フロア１１の底部における浴槽フロア２１側部分の縁部に沿った方向の略中央には排水口１８（図１２参照）が設けられ、その排水口の上方に排水口用蓋１８ａが着脱可能な状態で設置されている。この洗い場フロア１１の床面には、周壁部１１ａ側が高く、排水口用蓋１８ａ側が低くなった水勾配が形成されている。
【００１８】
浴槽フロア２１は、浴槽２４を設置するためのフロアであり、樹脂による一体成形により構成されている。また、この浴槽フロア２１は、周縁部に洗い場フロア１１の周壁部１１ａと比較して略垂直方向に高く設定された周壁部２１ａが形成された深い防水パンで構成されており、周壁部２１ａにおける洗い場フロア１１に沿った部分は、洗い場フロア１１の周壁部１１ａの対向する部分に接続されている。このため、浴槽フロア２１の底面の位置は洗い場フロア１１の底面の位置よりも低くなっている。そして、周壁部２１ａの上端部における洗い場フロア１１側部分を除いた部分には、壁パネル２２等の位置決めをするとともに固定するための複数の係合突起２１ｂが形成されている。
【００１９】
また、浴槽フロア２１の底部における洗い場フロア１１側の縁部に沿った方向の略中央近傍には排水口部２５が形成されている。この排水口部２５は、浴槽フロア２１の長手方向に沿った方向の長さが幅方向に沿った方向の長さよりも短くなった長方形に形成された穴部のなかに、リング状の連結部２５ａが、穴部の長手方向に伸縮可能になった蛇腹部材２５ｂを介して取り付けられた構造に形成されている。このため、連結部２５ａは穴部の長手方向に沿って移動可能になっている。なお、穴部の縁部と蛇腹部材２５ｂの周縁部との間はシール構造になっている。
【００２０】
そして、浴槽フロア２１の上面における浴槽２４の底面の各角部近傍に対応する部分に、平面状の設置台２４ｂがそれぞれ互いに間隔を保って形成されている。この設置台２４ｂの大きさおよび配置は、浴槽２４の設置位置を浴槽フロア２１内のどの位置に変更しても浴槽２４を適正状態で支持できるように設定されている。また、浴槽フロア２１の排水口部２５と、洗い場フロア１１の排水口１８とは、浴室フロアの下方に設置された可撓性を有する排水ホース１８ｂ（図１４参照）等によって接続されている。
【００２１】
浴槽２４は、樹脂による一体成形により構成されており、上面が開口した四角容器状の本体部２４ａと、本体部２４ａの上端周縁部から外部側に向って突出するように形成されたフランジ状の突出部２６とを備えている。そして、突出部２６における壁パネル２２，２３および壁パネル１２，１６に沿った縁部には、図５に示したように、上方に突出した上部係合部２６ａと下方に突出した下部係合部２６ｂとが形成されている。また、図６に示したように、突出部２６における洗い場フロア１１側の両角部（図１における手前側の角部は図示せず）には、壁パネル１２等の厚みと略等しい幅の切欠き部２６ｃが壁パネル１３等に沿うように形成されている。そして、浴槽２４の本体部２４ａの底面には、排水口部２４ｃ（図１３参照）が形成されている。
【００２２】
また、壁パネル２２，２３のパネル上部２２ａ，２３ａは、浴槽２４の突出部２６の上面に設置されて天井パネル１７を支持している。このパネル上部２２ａ，２３ａの下端面には、被係合溝部２７ａが形成されており、この被係合溝部２７ａを上部係合部２６ａに係合させることにより、パネル上部２２ａ，２３ａは突出部２６の上面に固定されている。また、パネル下部２２ｂ，２３ｂの上端面には、被係合溝部２７ｂが形成され、パネル下部２２ｂ，２３ｂの下端面には、被係合溝部２７ｃが形成されている。
【００２３】
そして、パネル下部２２ｂ，２３ｂは、被係合溝部２７ｂを下部係合部２６ｂに係合させ、被係合溝部２７ｃを係合突起２１ｂに係合させることにより、浴槽フロア２１の周壁部２１ａと浴槽２４の突出部２６との間に設置されている。このパネル下部２２ｂ，２３ｂは、上端部が下端部よりも外側に位置するように傾斜して取り付けられている。また、壁パネル１２のパネル上部１２ａおよび壁パネル１６のパネル上部１６ａもパネル上部２２ａ，２３ａと同様にして、浴槽２４の突出部２６の上面に設置されている。
【００２４】
そして、壁パネル１２のパネル下部１２ｂおよび壁パネル１６のパネル下部１６ｂも、浴槽フロア２１の周壁部２１ａと浴槽２４の突出部２６との間に設置されている。このパネル下部１２ｂ，１６ｂもパネル下部２２ｂ，２３ｂと同様の方法で浴槽フロア２１の周壁部２１ａと浴槽２４の突出部２６との間に取り付けられているが、パネル下部１２ｂ，１６ｂは垂直方向に起立した状態で設置されている。
【００２５】
また、壁パネル１６に隣接する部分には、壁パネル１３と対向して幅調節用のパネル１９が取り付けられており、このパネル１９と、壁パネル１３とは、浴槽２４側の端部を切欠き部２６ｃ内に位置させて洗い場フロア１１の周壁部１１ａ上に設置されている。このため、図７に示したように、壁パネル１３とパネル１９（パネル１９側部分は図示せず）は、それぞれ隣接する壁パネル１２，１６と同一面内に位置するように設置されている。また、ドアはドア枠（図示せず）を介して洗い場フロア１１の周壁部１１ａ上に設置されている。
【００２６】
そして、洗い場フロア１１の周壁部１１ａと浴槽フロア２１の周壁部２１ａとの接続部と、浴槽２４の突出部２６の下面との間には、板状のバスエプロン２８が取り付けられている。このバスエプロン２８は、図８および図９に示したように、浴槽２４の側面を覆う垂直面を備えた正面部２８ａと、正面部２８ａの下端部から浴槽２４側に屈曲して水平方向に延びて周壁部１１ａと周壁部２１ａとの接続部上に設置される支持部２８ｂと、正面部２８ａの上端部から浴槽２４側に屈曲して水平方向に延びる突出片２８ｃとで構成されている。
【００２７】
突出片２８ｃの幅は、浴槽２４の突出部２６の幅と略等しい長さに設定されている。そして、図８のように突出片２８ｃと突出部２６とを重なり合わせた状態から、図９のように浴槽２４を移動して、突出片２８ｃと突出部２６との先端部だけを重なり合わせた状態にするまでの間で突出片２８ｃと突出部２６との連結状態を維持できるようにしている。また、突出片２８ｃの長手方向に沿った両端部（一方しか図示せず）には、突出片２８ｃの下面から浴槽２４に向って進退可能な固定片２９が取り付けられている。
【００２８】
固定片２９は、図１０および図１１に示したように、中央にねじ挿通穴２９ａが形成された四角板状体で構成されており、突出片２８ｃの裏面に形成されたレール部（図示せず）に沿って移動可能になっている。そして、固定片２９の下側からねじ挿通穴２９ａにねじ２９ｂを通し、そのねじ２９ｂの先端部を突出部２６に係止させることにより、バスエプロン２８の突出片２８ｃは浴槽２４の突出部２６に固定されている。なお、図１０に示したように、浴槽２４をバスエプロン２８の正面部２８ａに接近させて設置して固定片２９が突出片２８ｃの下側に位置するときには、図８に示したように、ねじ２９ｂを突出片２８ｃを貫通させてその先端部を突出部２６に係止させる。
【００２９】
この構成において、浴槽２４を浴槽フロア２１上に設置する場合には、まず、システムバス１０内における浴槽フロア２１上に浴槽２４を運び、設置台２４ｂの上面における奥側（図１における壁パネル２２，２３側）部分に浴槽２４を設置する。このとき、図１２に示したように、排水口部２５の連結部２５ａを洗い場フロア１１から遠ざけるようにして移動させた状態で、浴槽２４の排水口部２４ｃに連結して図１３の状態にする。ついで、図１４に示したように、連結部２５ａと排水口１８に連結された排水管１８ｃとの間を排水ホース１８ｂで接続する。この場合の排水ホース１８ｂは、略直線状態に延びて連結部２５ａと排水管１８ｃとを接続する。
【００３０】
これによって、大きなシステムバス１０を組み立てる場合の浴槽フロア２１上の適正な位置に浴槽２４を設置することができる。その後、前述したように、浴槽２４の周囲および上部に、パネル上部２２ａ，２３ａ，１２ａ，１６ａおよびパネル下部２２ｂ，２３ｂ，１２ｂ，１６ｂを順次組み付けたのちに、壁パネル１３，１４，１５、パネル１９およびドアを組み付ける。そして、組み付けられた壁面部の上端部に天井パネル１７を取り付ける。この場合、図１５に示したように、各壁パネル１２等の上端部に係合用の突起３１を形成するとともに、天井パネル１７の下面における突起３１に対応する部分に凹部１７ａを形成して、突起３１と凹部１７ａとを係合させることにより壁面部に天井パネル１７を固定する。
【００３１】
そして、周壁部１１ａと周壁部２１ａとの接続部の上端部にバスエプロン２８を設置して、図１１のように固定片２９を浴槽２４側に突出させた状態で、固定片２９を浴槽２４の突出部２６にねじ２９ｂで固定して図９の状態にする。さらに、洗い場フロア１１における壁パネル１３に沿った部分にカウンターを設置する。そして、水栓、シャワー、照明装置、鏡および各種の配管等（図示せず）を所定の場所に取り付けてシステムバス１０の組み立てが終了する。
【００３２】
また、小さい大きさに設定されるステムバス、すなわち、図１に示したシステムバス１０よりも左右方向の長さが短いシステムバスを組み付ける場合には、設置台２４ｂの上面における洗い場フロア１１側部分に浴槽２４を設置する。このとき、図１６に示したように、排水口部２５の連結部２５ａを洗い場フロア１１側に移動させた状態で、浴槽２４の排水口部２４ｃに連結する。ついで、図１７に示したように、連結部２５ａと排水口１８に連結された排水管１８ｃとの間を排水ホース１８ｂで接続する。
【００３３】
この場合の排水ホース１８ｂは、連結部２５ａと排水管１８ｃとの間の長さよりも長くなるため、余剰部分を湾曲させるように曲げた状態で連結部２５ａと排水管１８ｃとを接続する。また、壁面部を構成する各壁パネル１２等を、図１８に示したように構成する。すなわち、図３に示した壁面部を構成する各壁パネル１２等の中からパネル１９を除去するとともに、パネル１９の幅の長さ分壁パネル１６を図３の右側に移動させる。そして、壁パネル１２の右側部分をパネル１９の幅の長さ分切断して短くして、その分壁パネル１２を図３の右側に移動させて設置する。これによって、壁面部を構成する各壁パネル１２等の配置は、図１８に示したようになる。
【００３４】
この場合、パネル上部２２ａ，２３ａを浴槽２４の位置に合わせて図３の右側に移動させるとともにパネル下部２２ｂ，２３ｂを垂直状態にして、壁パネル２２，２３を構成するパネル上部２２ａ，２３ａおよびパネル下部２２ｂ，２３ｂがすべて同一面内に位置するようにする。このとき、パネル下部２２ｂ，２３ｂの上下方向の長さが長すぎると切断によって長さを調節する。さらに、天井パネル１７が大きすぎる場合には、図１５に破線ａで示した部分で切断して、突起３１と凹部１７ｂとを係合させることにより壁面部に天井パネル１７を固定する。このような、各部材の位置合わせ、加工等の処理は設置現場で行われる。
【００３５】
このように、本実施形態に係る浴槽の設置構造２０では、一定の大きさの浴槽フロア２１を用いて、システムバスの設定サイズに応じて浴槽フロア２１に設置される浴槽２４の位置を変更することにより、浴槽２４を適正な状態でシステムバス内に設置することができる。すなわち、システムバスを小さくする場合には、浴槽フロア２１における洗い場フロア１１側の位置に浴槽２４を設置して、浴槽２４の突出部２６の上部に取り付けられるパネル上部２２ａ，２３ａと、浴槽２４の突出部２６と浴槽フロア２１の周壁部２１ａとの間に取り付けられるパネル下部２２ｂ，２３ｂとが垂直方向の同一面内に位置するようにすることができる。
【００３６】
そして、システムバスを大きくする場合には、浴槽２４を洗い場フロア１１から遠ざけるように位置をずらして浴槽フロア２１上に設置して、その状態の浴槽２４の突出部２６の上部にパネル上部２２ａ，２３ａを設置する。また、突出部２６と浴槽フロア２１の周壁部２１ａとの間に取り付けられるパネル下部２２ｂ，２３ｂは、適宜浴槽２４の突出部２６と浴槽フロア２１の一方側の周壁部２１ａとの位置関係に応じて傾斜させた状態で設置することができる。
【００３７】
このように、システムバスの大きさに合わせてパネル上部２２ａ，２３ａと浴槽２４との位置をずらすとともに、その位置に応じてパネル下部２２ｂ，２３ｂを傾斜させたり、その傾斜角度を変えたりすることにより、簡単な組付け作業で浴槽２４を適正な状態で設置することができる。この結果、複数種類の浴槽フロアを準備したり、浴槽フロアの大きさをシステムバスの大きさに合わせるために煩雑な切断作業をしたりする必要がなくなり、金型のための費用や組み立てのための人件費等の費用を大幅に削減できる。
【００３８】
また、パネル下部２２ｂ，２３ｂの上方に突出部２６を介してパネル上部２２ａ，２３ａを位置させているため、パネル上部２２ａ，２３ａ等の重さが突出部２６にかかったとしても、その重さは、パネル下部２２ｂ，２３ｂを介して浴槽フロア２１の周壁部２１ａにかかるようになる。このため、突出部２６の強度を小さくしても破損しにくくなる。さらに、突出部２６の上部係合部２６ａとパネル上部２２ａ，２３ａの被係合溝部２７ａ、突出部２６の下部係合部２６ｂとパネル下部２２ｂ，２３ｂの被係合溝部２７ｂおよびパネル下部２２ｂ，２３ｂの被係合溝部２７ｃと浴槽フロア２１の係合突起２１ｂとを、それぞれ係合させている。
【００３９】
このため、壁面部を構成するパネル上部２２ａ，２３ａとパネル下部２２ｂ，２３ｂとを、それぞれ強固に浴槽２４および浴槽フロア２１の周壁部２１ａに固定することができるようになる。このため、壁パネル２２，２３をそれぞれ上下２つのパネル部材に分割して、パネル下部２２ｂ，２３ｂを傾斜させて取り付けても壁パネル２２，２３の強度を強固に維持することができる。
【００４０】
また、バスエプロン２８の上端部に、突出部２６と重なり合う突出片２８ｃを設けて、突出部２６と突出片２８ｃとの重なった部分の長さを調節できるようにしたため、浴槽２４の浴槽フロア２１上での設置位置を変えてもバスエプロン２８の正面部２８ａを垂直状態に維持することができる。さらに、突出片２８ｃの下面に浴槽２４に対して進退可能な固定片２９を設けて、この固定片２９をねじ２９ｂによって突出部２６に固定することにより、バスエプロン２８の上端部を突出部２６に固定している。したがって、突出部２６の先端部と突出片２８ｃの先端部とが僅かに重なり合っただけでも、バスエプロン２８を強固に浴槽２４に固定することができる。
【００４１】
（第２実施形態）
図１９は、本発明の第２実施形態に係る浴槽の設置構造４０の要部を示している。すなわち、この浴槽の設置構造４０では、浴槽４４の突出部４６の下面における先端部でなく基部側に下部係合部４６ｂが形成されている。そして、パネル下部４２ｂ，４３ｂは垂直方向に起立した状態で被係合溝部４７ｂを下部係合部４６ｂに係合させている。この浴槽の設置構造４０のそれ以外の部分の構成については、前述した第１実施形態に係る浴槽の設置構造２０と同一である。したがって、同一部分に同一符号を記して説明は省略する。
【００４２】
この場合、浴槽の設置構造４０が設けられるシステムバスの大きさを大きく設定する場合には、図１９のように、被係合溝部４７ｂを下部係合部４６ｂに係合させ、被係合溝部２７ｃを係合突起２１ｂに係合させることにより、パネル下部４２ｂ，４３ｂを浴槽フロア２１の周壁部２１ａと浴槽４４の突出部４６との間に設置する。これによると、パネル上部２２ａ，２３ａとパネル下部４２ｂ，４３ｂとは、それぞれ設置位置を図１９の左右方向にずらした状態で垂直方向に延びた状態になる。
【００４３】
また、浴槽の設置構造４０を小さく設定されたシステムバス内に設ける場合には、図１９の状態から浴槽４４およびパネル上部２２ａ，２３ａを右側に移動させるとともに、パネル下部４２ｂ，４３ｂの上端部が下端部よりも右側に位置するようにパネル下部４２ｂ，４３ｂを傾斜させる。この浴槽の設置構造４０における作用効果は、前述した浴槽の設置構造２０と同様である。また、浴槽の設置構造４０の変形例として、突出部４６の下面における先端部側と基部側の双方に下部係合部を形成することができる。これによると、浴槽フロア２１に対する浴槽４４の設置位置に応じて、パネル下部４２ｂ，４３ｂの被係合溝部４７ｂを係合させる下部係合部を変えることにより、パネル下部４２ｂ，４３ｂを常時垂直状態にすることができる。
【００４４】
（第３実施形態）
図２０は、本発明の第３実施形態に係る浴槽の設置構造５０の要部を示している。この浴槽の設置構造５０では、パネル下部２２ｂ，２３ｂに代えて軟質のシート５２が用いられている。そして、浴槽５４の突出部５６の先端部には、上部係合部５６ａが形成されているだけで下部係合部は形成されていない。また、パネル上部５２ａ，５３ａの被係合溝部５７ａは、パネル上部５２ａ，５３ａの下端面における幅方向の中央でなく、裏面側部分から裏面にかけて設けられている。そして、シート５２は、下端面が、浴槽フロア５１の周壁部５１ａに固定され、上端部が浴槽５４の上部係合部５６ａとパネル上部５２ａ，５３ａの被係合溝部５７ａとの間に挟まれて固定されている。
【００４５】
なお、パネル上部５２ａ，５３ａの下端部は固定部材（図示せず）によって突出部５６に固定されている。また、浴槽フロア５１の周壁部５１ａに係合突起は形成されていない。この浴槽の設置構造５０のそれ以外の部分の構成については、前述した第１実施形態に係る浴槽の設置構造２０と同一である。このように、パネル下部２２ｂ，２３ｂに代えてシート５２を用いることにより、組付け作業が容易になるとともに、シート５２で構成される壁面下部の寸法を自由に変更できる。この浴槽の設置構造５０のそれ以外の作用効果については、前述した浴槽の設置構造２０等と同様である。
【００４６】
（第４実施形態）
図２１は、本発明の第４実施形態に係る浴槽の設置構造６０の要部を示している。この浴槽の設置構造６０では、パネル下部２２ｂ，２３ｂだけでなく、パネル下部１２ｂ，１６ｂも含めたすべてのパネル下部に代えてシート６５ａを備えた壁面下部部材６５が用いられている。この壁面下部部材６５は、図２２に示したように、浴槽６４の突出部６６の先端部に係合可能な平面視が略コ字状の上部支持枠６７と浴槽フロア６１の周壁部６１ａの上端部に係合可能な平面視が略コ字状の下部支持枠６８とをシート６５ａで連結して構成されている。
【００４７】
すなわち、上部支持枠６７の内周面には、突出部６６の先端部に係合可能な係合溝６７ａが形成され、下部支持枠６８の下面には、周壁部６１ａの上端部に係合可能な係合溝６８ａが形成されている。そして、浴槽６４における洗い場フロア１１側の側面を除いたすべての側面を覆うことのできる大きさのシート６５ａの上端部を上部支持枠６７の下部に固定し、下端部を下部支持枠６８の上部に固定して壁面下部部材６５が形成されている。
【００４８】
また、上部支持枠６７の上面には、パネル上部６２ａ，６３ａの被係合溝部６２ｂに係合可能な上部係合部６７ｂが形成され、被係合溝部６２ｂを上部係合部６７ｂに係合させることにより、パネル上部６２ａ，６３ａは、突出部６６に固定された上部支持枠６７の上面に設置されている。この浴槽の設置構造６０のそれ以外の部分の構成については、前述した浴槽の設置構造２０と同一である。このように、パネル下部２２ｂ，２３ｂ等に代えて壁面下部部材６５を用いることにより、組付け作業がさらに容易になる。この浴槽の設置構造５０のそれ以外の作用効果については、前述した浴槽の設置構造２０等と同様である。
【００４９】
（第５実施形態）
図２３ないし図２５は、本発明の第５実施形態に係る浴槽の設置構造が備えるバスエプロン７８の上部側部分を示している。このバスエプロン７８では、突出片７７が、一定の幅に設定された肉厚部７７ａ，７７ｂ，７７ｃと、肉厚部７７ａ，７７ｂ間に形成された線状の薄肉部７６ａと、肉厚部７７ｂ，７７ｃ間に形成された線状の薄肉部７６ｂとで構成されている。そして、この突出片７７は薄肉部７６ａ，７６ｂの部分で下方に向ってのみ折り曲げ可能になっている。このバスエプロン７８を備えた浴槽の設置構造のそれ以外の部分の構成については、前述した浴槽の設置構造２０と同一である。
【００５０】
このように構成したため、浴槽２４とバスエプロン７８との間隔が大きい場合には、図２３に示したように、肉厚部７７ａ，７７ｂ，７７ｃをすべて水平方向に延ばして、先端の肉厚部７７ｃを突出部２６の下面に位置させてねじ２９ｂで固定することにより、バスエプロン７８の正面部２８ａを垂直状態にすることができる。また、浴槽２４とバスエプロン７８との間隔が小さい場合には、図２５に示したように、肉厚部７７ａ，７７ｂ間の薄肉部７６ａを折り曲げて，肉厚部７７ｂ，７７ｃを下方に垂らし、肉厚部７７ａを突出部２６の下面に位置させてねじ２９ｂで固定する。
【００５１】
これによっても、バスエプロン７８の正面部２８ａを垂直状態にすることができる。さらに、浴槽２４とバスエプロン７８との間隔が、大きくも小さくもなく通常の大きさである場合には、図２４に示したように、肉厚部７７ｂ，７７ｃ間の薄肉部７６ｂを折り曲げて，肉厚部７７ｃを下方に垂らし、肉厚部７７ｂを突出部２６の下面に位置させてねじ２９ｂで固定する。この場合にも、バスエプロン７８の正面部２８ａを垂直状態にすることができる。
【００５２】
このように、本実施形態によれば、浴槽２４とバスエプロン７８との間隔にかかわらず、バスエプロン７８の正面部２８ａを垂直状態にすることができる。このバスエプロン７８を備えた浴槽の設置構造のそれ以外の作用効果については、前述した浴槽の設置構造２０等と同様である。なお、このバスエプロン７８は、前述した第１実施形態に係る浴槽の設置構造２０だけでなく、第２〜第４実施形態に係る浴槽の設置構造４０等にも利用することができる。また、本発明に係る浴槽の設置構造は、前述した各実施形態に限定するものでなく、本発明の技術的範囲において適宜変更して実施することができる。
【図面の簡単な説明】
【００５３】
【図１】本発明の第１実施形態に係る浴槽の設置構造を備えたシステムバスを示した斜視図である。
【図２】図１に示したシステムバスが備える浴室フロアを示した斜視図である。
【図３】図１に示した浴槽の設置構造の壁面部を構成する各壁パネルの配置を示した説明図である。
【図４】壁面部の上端に天井パネルを取り付けた状態を示した断面図である。
【図５】第１実施形態に係る浴槽の設置構造の要部を示した断面図である。
【図６】浴槽に設けられた切欠き部を示した斜視図である。
【図７】図６に示した浴槽の側部に壁パネルを取り付けた状態を示した斜視図である。
【図８】浴槽に接近させてバスエプロンを設置した状態を示した断面図である。
【図９】浴槽から離してバスエプロンを設置した状態を示した断面図である。
【図１０】バスエプロンの固定片を後退させた状態を示した斜視図である。
【図１１】バスエプロンの固定片を突出させた状態を示した斜視図である。
【図１２】浴槽フロアの排水口部が備える連結部を洗い場フロアから遠ざけた状態を示した断面図である。
【図１３】浴槽の排水口部と浴槽フロアの連結部とを連結した状態を示した断面図である。
【図１４】図１２の状態の排水口部の連結部と洗い場フロアの排水口に連結された排水管とを排水ホースで接続した状態を示した断面図である。
【図１５】壁パネルと天井パネルとの連結状態を示した断面図である。
【図１６】浴槽フロアの排水口部が備える連結部を洗い場フロア側に移動させた状態を示した断面図である。
【図１７】図１６の状態の排水口部の連結部と洗い場フロアの排水口に連結された排水管とを排水ホースで接続した状態を示した断面図である。
【図１８】小さなシステムバスで用いる浴槽の設置構造の壁面部を構成する各壁パネルの配置を示した説明図である。
【図１９】本発明の第２実施形態に係る浴槽の設置構造の要部を示した断面図である。
【図２０】本発明の第３実施形態に係る浴槽の設置構造の要部を示した断面図である。
【図２１】本発明の第４実施形態に係る浴槽の設置構造の要部を示した断面図である。
【図２２】第４実施形態に係る浴槽の設置構造が備える壁面下部部材を示した斜視図である。
【図２３】本発明の第５実施形態に係る浴槽の設置構造が備えるバスエプロンの突出片を水平方向に延ばした状態を示した斜視図である。
【図２４】図２３の突出片の先端側の肉厚部を折り曲げて垂らした状態を示した斜視図である。
【図２５】図２３の突出片の先端側の２個の肉厚部を折り曲げて垂らした状態を示した斜視図である。
【符号の説明】
【００５４】
１０…システムバス、２０，４０，５０，６０…浴槽の設置構造、２１，５１，６１…浴槽フロア、２１ａ，５１ａ，６１ａ…周壁部、２１ｂ…係合突起、２２，２３…壁パネル、２２ａ，２３ａ，５２ａ，５３ａ，６２ａ，６３ａ…パネル上部、２２ｂ，２３ｂ，４２ｂ，４３ｂ…パネル下部、２４，４４，５４，６４…浴槽、２６，４６，５６，６６…突出部、２６ａ，５６ａ，６７ｂ…上部係合部、２６ｂ，４６ｂ…下部係合部、２７ａ，２７ｂ，２７ｃ，４７ｂ，５７ａ，６２ｂ…被係合溝部、２８，７８…バスエプロン、２８ｃ，７７…突出片、５２…シート、６５…壁面下部部材、６８ａ…係合溝。
【図１】
0004713407.tif 000002
【図２】
0004713407.tif 000003
【図３】
0004713407.tif 000004
【図４】
0004713407.tif 000005
【図５】
0004713407.tif 000006
【図６】
0004713407.tif 000007
【図７】
0004713407.tif 000008
【図８】
0004713407.tif 000009
【図９】
0004713407.tif 000010
【図１０】
0004713407.tif 000011
【図１１】
0004713407.tif 000012
【図１２】
0004713407.tif 000013
【図１３】
0004713407.tif 000014
【図１４】
0004713407.tif 000015
【図１５】
0004713407.tif 000016
【図１６】
0004713407.tif 000017
【図１７】
0004713407.tif 000018
【図１８】
0004713407.tif 000019
【図１９】
0004713407.tif 000020
【図２０】
0004713407.tif 000021
【図２１】
0004713407.tif 000022
【図２２】
0004713407.tif 000023
【図２３】
0004713407.tif 000024
【図２４】
0004713407.tif 000025
【図２５】
0004713407.tif 000026